【手続補正書】
【提出日】平成16年4月20日(2004.4.20)
【手続補正１】
【補正対象書類名】明細書
【補正対象項目名】発明の名称
【補正方法】変更
【補正の内容】
【発明の名称】アクセス装置、コンテンツ配信サーバ収容装置、及びコンテンツ配信システム


【手続補正２】
【補正対象書類名】明細書
【補正対象項目名】特許請求の範囲
【補正方法】変更
【補正の内容】
【特許請求の範囲】
【請求項１】
少なくとも１つ以上のコンテンツを蓄積するコンテンツ配信サーバを収容しており、コンテンツ配信網に形成された複数の品質クラスを有する仮想網を介して送られるコンテンツ配信サーバ接続要求あるいはコンテンツ取得要求をコンテンツ配信サーバに転送すると共に、コンテンツ配信サーバから送られるコンテンツを載せたパケットを前記仮想網に転送するコンテンツ配信サーバ収容装置と、
前記コンテンツ配信サーバから前記仮想網を介してユーザ側処理装置に至るまでのトラヒック量あるいは処理負荷量に基づいて、前記コンテンツ配信サーバ収容装置に接続するための装置ＩＤを特定し、前記特定された装置ＩＤをユーザ側処理装置に通知する接続マネージャとを備えるコンテンツ配信システムに用いられ、
前記接続マネージャから前記ユーザ側処理装置への前記特定された装置ＩＤ通知後、前記ユーザ側処理装置から再送出されるコンテンツ配信サーバ接続要求あるいはコンテンツ取得要求を、宛先のコンテンツ配信サーバ収容装置に接続するために前記特定された装置ＩＤに基づいて前記仮想網に転送すると共に、前記仮想網を介して送られるコンテンツを前記ユーザ側処理装置に転送するアクセス装置であって、
コンテンツＩＤと当該コンテンツを転送する仮想網の仮想網ＩＤとの対応管理、コンテンツＩＤと当該コンテンツを転送する際の品質クラスとの対応管理を行い、前記ユーザ側処理装置から送られるコンテンツ配信サーバ接続要求あるいはコンテンツ取得要求のパケットに付与されているコンテンツＩＤに基づいて、当該パケットに対し、品質クラスの品質識別子の付与及び前記仮想網への転送を行う手段を有することを特徴とするアクセス装置。
【請求項２】
複数の品質クラスの仮想網が形成されるコンテンツ配信網と、
コンテンツ配信サーバから前記仮想網を介してユーザ側処理装置に至るまでのトラヒック量あるいは処理負荷量に基づいて、前記コンテンツ配信サーバ収容装置に接続するための装置ＩＤを特定し、前記特定された装置ＩＤをユーザ側処理装置に通知する接続マネージャと、
前記接続マネージャから前記ユーザ側処理装置への前記特定された装置ＩＤ通知後、前記ユーザ側処理装置から再送出されるコンテンツ配信サーバ接続要求あるいはコンテンツ取得要求を、宛先のコンテンツ配信サーバ収容装置に接続するために前記特定された装置ＩＤに基づいて前記仮想網に転送すると共に、前記仮想網を介して送られるコンテンツを前記ユーザ側処理装置に転送するアクセス装置と、
を備えるコンテンツ配信システムに用いられ、
少なくとも１つ以上のコンテンツを蓄積するコンテンツ配信サーバを収容し、前記仮想網を介して送られるコンテンツ配信サーバ接続要求あるいはコンテンツ取得要求をコンテンツ配信サーバに転送すると共に、コンテンツ配信サーバから送られるコンテンツを載せたパケットを前記仮想網に転送するコンテンツ配信サーバ収容装置であって、
コンテンツＩＤと当該コンテンツを転送する仮想網の仮想網ＩＤとの対応管理、コンテンツＩＤと当該コンテンツを転送する際の品質クラスとの対応管理を行い、前記仮想網を介して送られるコンテンツ配信サーバ接続要求あるいはコンテンツ取得要求のパケットに付与されているコンテンツＩＤに基づいて、コンテンツ配信サーバから送られるコンテンツを載せたパケットに対し、品質クラスの品質識別子の付与及び前記仮想網への転送を行う手段を有することを特徴とするコンテンツ配信サーバ収容装置。
【請求項３】
少なくとも１つ以上のコンテンツを蓄積し、コンテンツ配信サーバ接続要求あるいはコンテンツ取得要求に応答して、当該コンテンツを送出するコンテンツ配信サーバと、各コンテンツに付与されたコンテンツＩＤの管理、各コンテンツを収容するコンテンツ配信サーバ収容装置の装置ＩＤの管理、コンテンツ毎の取得許可条件の管理、コンテンツＩＤと当該コンテンツを収容する装置ＩＤとの対応管理の各管理を行うコンテンツ管理サーバと、ユーザから送出されるコンテンツ配信サーバ接続要求あるいはコンテンツ取得要求を受信し、この受信情報と、品質マネージャが監視しているコンテンツ配信サーバ収容装置、アクセス装置、データ転送装置、及びコンテンツ配信サーバの各トラヒック量あるいは処理負荷量に基づいて、装置ＩＤを特定し、前記装置ＩＤをユーザに通知する手段を有する接続マネージャと、前記接続マネージャからユーザへの装置ＩＤ通知後、ユーザから再送出されるコンテンツ配信サーバ接続要求あるいはコンテンツ取得要求を、宛先の装置ＩＤに基づいて、データ転送装置に転送する手段と、データ転送装置から送られるコンテンツをユーザに転送する手段とを有するアクセス装置と、前記コンテンツ配信サーバを収容し、データ転送装置から送られるコンテンツ配信サーバ接続要求あるいはコンテンツ取得要求をコンテンツ配信サーバに転送する手段と、コンテンツ配信サーバから送られるコンテンツを載せたパケットをデータ転送装置に転送する手段を有するコンテンツ配信サーバ収容装置と、コンテンツ単位、複数コンテンツ単位、コンテンツプロバイダ単位あるいは複数コンテンツプロバイダ単位に形成される仮想網毎に付与された仮想網ＩＤを管理する手段と、前記コンテンツ配信サーバ接続要求あるいは前記コンテンツ取得要求を、宛先のコンテンツ配信サーバ収容装置に向け、当該仮想網上にて転送する手段と、コンテンツを宛先のユーザを収容するアクセス装置に向け、当該仮想網上にて転送する手段を有する前記データ転送装置と、前記アクセス装置、前記コンテンツ配信サーバ収容装置、及び前記データ転送装置とを相互に接続することによって形成されるコンテンツ配信網と、前記コンテンツ配信サーバ収容装置、前記アクセス装置、前記データ転送装置あるいはコンテンツ配信サーバのうち少なくともコンテンツ配信サーバ収容装置で扱われている情報トラヒック量あるいは処理負荷量を監視する品質マネージャと、ユーザ情報、課金情報のうち少なくともユーザ情報を管理するユーザ管理サーバとから構成されるコンテンツ配信システムであって、
前記アクセス装置は、コンテンツＩＤと当該コンテンツを転送する仮想網の仮想網ＩＤとの対応管理、コンテンツＩＤと当該コンテンツを転送する際の品質クラスとの対応管理を行い、ユーザから送られるコンテンツ配信サーバ接続要求あるいはコンテンツ取得要求のパケットに付与されているコンテンツＩＤに基づいて、当該パケットに対し、当該品質クラスの品質識別子の付与及び当該仮想網への転送を行う手段を有することを特徴とするコンテンツ配信システム。
【請求項４】
請求項３記載のコンテンツ配信システムにおいて、
前記コンテンツ配信サーバ収容装置は、コンテンツＩＤと当該コンテンツを転送する仮想網の仮想網ＩＤとの対応管理、コンテンツＩＤと当該コンテンツを転送する際の品質クラスとの対応管理を行い、データ転送装置から送られるコンテンツ配信サーバ接続要求あるいはコンテンツ取得要求のパケットに付与されているコンテンツＩＤに基づいて、コンテンツ配信サーバから送られるコンテンツを載せたパケットに対し、当該品質クラスの品質識別子の付与及び当該仮想網への転送を行う手段を有することを特徴とするコンテンツ配信システム。
【請求項５】
請求項３又は４記載のコンテンツ配信システムにおいて、
前記コンテンツ配信網及びデータ転送装置は、コンテンツ配信サーバ接続要求あるいはコンテンツ取得要求のパケット、ならびにコンテンツを載せたパケットを、当該仮想網上において当該品質識別子に基づいて、品質クラス毎に異なる転送方法を行う手段を有することを特徴とするコンテンツ配信システム。
【請求項６】
請求項３記載のコンテンツ配信システムにおいて、
前記コンテンツＩＤはＵＲＬ(Ｕniversal Ｒesource Ｌocator)あるいはＵＲＬの一部であって、アクセス装置は、ＵＲＬあるいはＵＲＬの一部の情報に対する、仮想網ＩＤ及び品質クラスの対応を管理し、ユーザから送られるコンテンツ配信サーバ接続要求あるいはコンテンツ取得要求のパケットに付与されているＵＲＬを読みとって、当該パケットに対し、当該品質クラスの品質識別子の付与及び当該仮想網への転送を行う手段を有することを特徴とするコンテンツ配信システム。
【請求項７】
請求項４記載のコンテンツ配信システムにおいて、
前記コンテンツＩＤはＵＲＬあるいはＵＲＬの一部であって、コンテンツ配信サーバ収容装置は、ＵＲＬあるいはＵＲＬの一部の情報に対する、仮想網ＩＤ及び品質クラスの対応を管理し、データ転送装置から送られるコンテンツ配信サーバ接続要求あるいはコンテンツ取得要求のパケットに付与されているＵＲＬを読みとって、コンテンツ配信サーバから送られるコンテンツを載せたパケットに対し、当該品質クラスの品質識別子の付与及び当該仮想網への転送を行う手段を有することを特徴とするコンテンツ配信システム。
【請求項８】
請求項６又７記載のコンテンツ配信システムにおいて、
前記ＵＲＬ内に、コンテンツ配信サーバ接続要求あるいはコンテンツ取得要求のパケットに対する品質クラス情報と、コンテンツを載せたパケットに対する品質クラス情報の両方を記述させ、アクセス装置は、ＵＲＬ内のコンテンツ配信サーバ接続要求あるいはコンテンツ取得要求のパケットに対する品質クラス情報を読みとることにより、コンテンツ配信サーバ接続要求あるいはコンテンツ取得要求のパケットに対し、該品質クラスの品質識別子の付与する手段と、コンテンツ配信サーバ収容装置は、前記ＵＲＬ内のコンテンツを載せたパケットに対する品質クラス情報を読みとることにより、コンテンツ配信サーバから送られるコンテンツを載せたパケットに対し、当該品質クラスの品質識別子を付与する手段を有することを特徴とするコンテンツ配信システム。
【手続補正３】
【補正対象書類名】明細書
【補正対象項目名】００５５
【補正方法】変更
【補正の内容】
【００５５】
【課題を解決するための手段】
本願において開示される発明の概要を簡単に説明すれば、下記のとおりである。
（１）少なくとも１つ以上のコンテンツを蓄積するコンテンツ配信サーバを収容しており、コンテンツ配信網に形成された複数の品質クラスを有する仮想網を介して送られるコンテンツ配信サーバ接続要求あるいはコンテンツ取得要求をコンテンツ配信サーバに転送すると共に、コンテンツ配信サーバから送られるコンテンツを載せたパケットを前記仮想網に転送するコンテンツ配信サーバ収容装置と、前記コンテンツ配信サーバから前記仮想網を介してユーザ側処理装置に至るまでのトラヒック量あるいは処理負荷量に基づいて、前記コンテンツ配信サーバ収容装置に接続するための装置ＩＤを特定し、前記特定された装置ＩＤをユーザ側処理装置に通知する接続マネージャとを備えるコンテンツ配信システムに用いられ、前記接続マネージャから前記ユーザ側処理装置への前記特定された装置ＩＤ通知後、前記ユーザ側処理装置から再送出されるコンテンツ配信サーバ接続要求あるいはコンテンツ取得要求を、宛先のコンテンツ配信サーバ収容装置に接続するために前記特定された装置ＩＤに基づいて前記仮想網に転送すると共に、前記仮想網を介して送られるコンテンツを前記ユーザ側処理装置に転送するアクセス装置であって、コンテンツＩＤと当該コンテンツを転送する仮想網の仮想網ＩＤとの対応管理、コンテンツＩＤと当該コンテンツを転送する際の品質クラスとの対応管理を行い、前記ユーザ側処理装置から送られるコンテンツ配信サーバ接続要求あるいはコンテンツ取得要求のパケットに付与されているコンテンツＩＤに基づいて、当該パケットに対し、品質クラスの品質識別子の付与及び前記仮想網への転送を行う手段を有する。
（２）複数の品質クラスの仮想網が形成されるコンテンツ配信網と、コンテンツ配信サーバから前記仮想網を介してユーザ側処理装置に至るまでのトラヒック量あるいは処理負荷量に基づいて、前記コンテンツ配信サーバ収容装置に接続するための装置ＩＤを特定し、前記特定された装置ＩＤをユーザ側処理装置に通知する接続マネージャと、前記接続マネージャから前記ユーザ側処理装置への前記特定された装置ＩＤ通知後、前記ユーザ側処理装置から再送出されるコンテンツ配信サーバ接続要求あるいはコンテンツ取得要求を、宛先のコンテンツ配信サーバ収容装置に接続するために前記特定された装置ＩＤに基づいて前記仮想網に転送すると共に、前記仮想網を介して送られるコンテンツを前記ユーザ側処理装置に転送するアクセス装置とを備えるコンテンツ配信システムに用いられ、少なくとも１つ以上のコンテンツを蓄積するコンテンツ配信サーバを収容し、前記仮想網を介して送られるコンテンツ配信サーバ接続要求あるいはコンテンツ取得要求をコンテンツ配信サーバに転送すると共に、コンテンツ配信サーバから送られるコンテンツを載せたパケットを前記仮想網に転送するコンテンツ配信サーバ収容装置であって、コンテンツＩＤと当該コンテンツを転送する仮想網の仮想網ＩＤとの対応管理、コンテンツＩＤと当該コンテンツを転送する際の品質クラスとの対応管理を行い、前記仮想網を介して送られるコンテンツ配信サーバ接続要求あるいはコンテンツ取得要求のパケットに付与されているコンテンツＩＤに基づいて、コンテンツ配信サーバから送られるコンテンツを載せたパケットに対し、品質クラスの品質識別子の付与及び前記仮想網への転送を行う手段を有する。
（３）少なくとも１つ以上のコンテンツを蓄積し、コンテンツ配信サーバ接続要求あるいはコンテンツ取得要求に応答して、当該コンテンツを送出するコンテンツ配信サーバと、各コンテンツに付与されたコンテンツＩＤの管理、各コンテンツを収容するコンテンツ配信サーバ収容装置の装置ＩＤの管理、コンテンツ毎の取得許可条件の管理、コンテンツＩＤと当該コンテンツを収容する装置ＩＤとの対応管理の各管理を行うコンテンツ管理サーバと、ユーザから送出されるコンテンツ配信サーバ接続要求あるいはコンテンツ取得要求を受信し、この受信情報と、品質マネージャが監視しているコンテンツ配信サーバ収容装置、アクセス装置、データ転送装置、及びコンテンツ配信サーバの各トラヒック量あるいは処理負荷量に基づいて、装置ＩＤを特定し、前記装置ＩＤをユーザに通知する手段を有する接続マネージャと、前記接続マネージャからユーザへの装置ＩＤ通知後、ユーザから再送出されるコンテンツ配信サーバ接続要求あるいはコンテンツ取得要求を、宛先の装置ＩＤに基づいて、データ転送装置に転送する手段と、データ転送装置から送られるコンテンツをユーザに転送する手段とを有するアクセス装置と、前記コンテンツ配信サーバを収容し、データ転送装置から送られるコンテンツ配信サーバ接続要求あるいはコンテンツ取得要求をコンテンツ配信サーバに転送する手段と、コンテンツ配信サーバから送られるコンテンツを載せたパケットをデータ転送装置に転送する手段を有するコンテンツ配信サーバ収容装置と、コンテンツ単位、複数コンテンツ単位、コンテンツプロバイダ単位あるいは複数コンテンツプロバイダ単位に形成される仮想網毎に付与された仮想網ＩＤを管理する手段と、前記コンテンツ配信サーバ接続要求あるいは前記コンテンツ取得要求を、宛先のコンテンツ配信サーバ収容装置に向け、当該仮想網上にて転送する手段と、コンテンツを宛先のユーザを収容するアクセス装置に向け、当該仮想網上にて転送する手段を有する前記データ転送装置と、前記アクセス装置、前記コンテンツ配信サーバ収容装置、及び前記データ転送装置とを相互に接続することによって形成されるコンテンツ配信網と、前記コンテンツ配信サーバ収容装置、前記アクセス装置、前記データ転送装置あるいはコンテンツ配信サーバのうち少なくともコンテンツ配信サーバ収容装置で扱われている情報トラヒック量あるいは処理負荷量を監視する品質マネージャと、ユーザ情報、課金情報のうち少なくともユーザ情報を管理するユーザ管理サーバ、とから構成されるコンテンツ配信システムであって、前記アクセス装置は、コンテンツＩＤと当該コンテンツを転送する仮想網の仮想網ＩＤとの対応管理、コンテンツＩＤと当該コンテンツを転送する際の品質クラスとの対応管理を行い、ユーザから送られるコンテンツ配信サーバ接続要求あるいはコンテンツ取得要求のパケットに付与されているコンテンツＩＤに基づいて、当該パケットに対し、当該品質クラスの品質識別子の付与及び当該仮想網への転送を行う手段を有するコンテンツ配信システムである。


【手続補正４】
【補正対象書類名】明細書
【補正対象項目名】００５６
【補正方法】変更
【補正の内容】
【００５６】
（４）前記（３）記載のコンテンツ配信システムにおいて、前記コンテンツ配信サーバ収容装置は、コンテンツＩＤと当該コンテンツを転送する仮想網の仮想網ＩＤとの対応管理、コンテンツＩＤと当該コンテンツを転送する際の品質クラスとの対応管理を行い、データ転送装置から送られるコンテンツ配信サーバ接続要求あるいはコンテンツ取得要求のパケットに付与されているコンテンツＩＤに基づいて、コンテンツ配信サーバから送られるコンテンツを載せたパケットに対し、当該品質クラスの品質識別子の付与及び当該仮想網への転送を行う手段を有するものである。


【手続補正５】
【補正対象書類名】明細書
【補正対象項目名】００５７
【補正方法】変更
【補正の内容】
【００５７】
（５）前記（３）又は（４）記載のコンテンツ配信システムにおいて、前記コンテンツ配信網及びデータ転送装置は、コンテンツ配信サーバ接続要求あるいはコンテンツ取得要求のパケット、ならびにコンテンツを載せたパケットを、当該仮想網上において当該品質識別子に基づいて、品質クラス毎に異なる転送方法を行う手段を有するものである。


【手続補正６】
【補正対象書類名】明細書
【補正対象項目名】００５８
【補正方法】変更
【補正の内容】
【００５８】
（６）前記（３）記載のコンテンツ配信システムにおいて、前記コンテンツＩＤはＵＲＬ(Ｕniversal Ｒesource Ｌocator)あるいはＵＲＬの一部であって、アクセス装置は、ＵＲＬあるいはＵＲＬの一部の情報に対する、仮想網ＩＤ及び品質クラスの対応を管理し、ユーザから送られるコンテンツ配信サーバ接続要求あるいはコンテンツ取得要求のパケットに付与されているＵＲＬを読みとって、当該パケットに対し、当該品質クラスの品質識別子の付与及び当該仮想網への転送を行う手段を有するものである。


【手続補正７】
【補正対象書類名】明細書
【補正対象項目名】００５９
【補正方法】変更
【補正の内容】
【００５９】
（７）前記（４）記載の発明のコンテンツ配信システムにおいて、前記コンテンツＩＤはＵＲＬあるいはＵＲＬの一部であって、コンテンツ配信サーバ収容装置は、ＵＲＬあるいはＵＲＬの一部の情報に対する、仮想網ＩＤ及び品質クラスの対応を管理し、データ転送装置から送られるコンテンツ配信サーバ接続要求あるいはコンテンツ取得要求のパケットに付与されているＵＲＬを読みとって、コンテンツ配信サーバから送られるコンテンツを載せたパケットに対し、当該品質クラスの品質識別子の付与及び当該仮想網への転送を行う手段を有するものである。


【手続補正８】
【補正対象書類名】明細書
【補正対象項目名】００６０
【補正方法】変更
【補正の内容】
【００６０】
（８）前記（６）又は（７）記載のコンテンツ配信システムにおいて、前記ＵＲＬ内に、コンテンツ配信サーバ接続要求あるいはコンテンツ取得要求のパケットに対する品質クラス情報と、コンテンツを載せたパケットに対する品質クラス情報の両方を記述させ、アクセス装置は、ＵＲＬ内のコンテンツ配信サーバ接続要求あるいはコンテンツ取得要求のパケットに対する品質クラス情報を読みとることにより、コンテンツ配信サーバ接続要求あるいはコンテンツ取得要求のパケットに対し、該品質クラスの品質識別子の付与する手段と、コンテンツ配信サーバ収容装置は、前記ＵＲＬ内のコンテンツを載せたパケットに対する品質クラス情報を読みとることにより、コンテンツ配信サーバから送られるコンテンツを載せたパケットに対し、当該品質クラスの品質識別子を付与する手段を有するものである。